(57)【要約】【課題】電源におけるコイルを用いた部品の寿命を延ばすこと。【解決手段】ロッカースイッチの操作ボタンのオフ/オン動作を検出する検出手段と、操作ボタンのオフ/オンの検出結果により電源のリレー制御を行うリレー制御手段と、操作ボタンのオフ操作時の所定の処理後にシャットダウン処理を行うシャットダウン処理手段と、ロッカースイッチ内に設けられ電源のリレー制御に用いられる第一のコイルと、第一のコイルの近傍に設けられた第二のコイルと、を備えた画像処理装置であって、第一のコイルの状態に基づいて第一のコイルと第二のコイルとを切り替える切り替え手段と、を備えた。【選択図】図３
2014186293.tif 000002
【特許請求の範囲】
【請求項１】
ロッカースイッチの操作ボタンのオフ/オン動作を検出する検出手段と、
前記ロッカースイッチのオフ/オンの検出結果により電源のリレー制御を行うリレー制御手段と、
前記ロッカースイッチの操作ボタンのオフ操作時の所定の処理後にシャットダウン処理を行うシャットダウン処理手段と、
前記ロッカースイッチ内に設けられ、前記電源のリレー制御に用いられる第一のコイルと、
前記第一のコイルの近傍に設けられた第二のコイルと、
を備えた画像処理装置であって、
前記第一のコイルの状態に基づいて前記第一のコイルと前記第二のコイルとを切り替える切り替え手段と、を備えたことを特徴とする画像処理装置。
【請求項２】
ロッカースイッチの操作ボタンのオフ/オン動作を検出する手段と、前記ロッカースイッチの操作ボタンのオフ/オンの検出結果により電源のリレー制御を行う手段と、前記ロッカースイッチの操作ボタンのオフ操作時の時刻情報を記憶する手段と、を備えた画像処理装置であって、
前記ロッカースイッチ内に前記電源のリレー制御に用いられる第一のコイルを設け、コイルの近傍の温度を検出する手段を備え、前記ロッカースイッチの操作ボタンのオフ操作時に前記ロッカースイッチ内のコイルに励磁電流を流すことによって電源をオフさせる制御手段を備え、
前記ロッカースイッチの操作ボタンのオフ操作の総回数を計測して格納する手段と、前記オフ操作の総回数から前記ロッカースイッチ内のコイルの寿命を算出する手段と、算出したデータを格納する手段と、前記データを格納した後でシャットダウン処理を行う手段と、前記第一のコイルが寿命に達すると第二のコイルに電流を流すように切り替える手段と、を備えたことを特徴とする画像処理装置。
【請求項３】
請求項１または２記載の画像処理装置であって、
前記ロッカースイッチの操作ボタンがオフされた操作状態を格納する第一の格納手段と、
前記オフ操作の総回数を計測し、計測した結果を格納する第二の格納手段と、
前記オフ操作の総回数から前記ロッカースイッチ内のコイルの寿命を算出する算出手段と、
算出した結果のデータを格納する第三の格納手段と、を備え、
前記第一のコイルの寿命に達すると第二のコイルに電流を流すように切り替える他の切り替え手段と、を備えたことを特徴とする画像処理装置。
【請求項４】
請求項３記載の画像処理装置であって、
操作部上で第一のコイルまたは第二のコイルのどちらに電流を流すかを選択する手段を備えたことを特徴とする画像処理装置。
【請求項５】
請求項３記載の画像処理装置であって、
ネットワーク網と接続し、機器の情報を取得する手段を備え、ネットワーク網からの操作によって、第一または第二のどちらに電流を流すかを選択する手段を備えたことを特徴とする画像処理装置。
【請求項６】
請求項５記載の画像処理装置であって、
ネットワークと接続し、機器の情報を取得する手段を備え、前記ネットワークからの操作によって第一及び第二のコイルの寿命の情報が格納されたデータを取得する取得手段を備えた画像処理装置。
【請求項７】
請求項６記載の画像処理装置であって、
操作部上の操作によって第一及び第二のコイルの寿命が格納されたデータを表示させる手段を備えたことを特徴とする画像処理装置。
【請求項８】
ロッカースイッチの操作ボタンのオフ/オン動作を検出する検出手段と、
前記ロッカースイッチのオフ/オンの検出結果に基づいてコイルにより電源のリレー制御を行うリレー制御手段と、
前記ロッカースイッチの操作ボタンのオフ操作時の所定の処理後にシャットダウン処理を行うシャットダウン手段と、
前記ロッカースイッチのオフ操作時の時刻情報を記憶する記憶手段と、
周囲の環境の明るさを検知する照度検知手段と、
前記ロッカースイッチオフ操作時、もしくは前記照度検知手段からの検出信号により、前記コイルに励磁電流を流すことによって前記電源をオフさせる制御手段と、
を備えた画像処理装置であって、
前記電源及び前記電源をオフさせるリレー信号を監視するリレー信号監視手段と、
前記リレー信号が発生して一定時間経過後の前記リレー信号のレベルを確認する確認手段と、
一定時間経過後も前記コイルに励磁電流が流れ続けるとリブート処理を行うリブート手段と、を備えたことを特徴とする画像処理装置。
【請求項９】
ロッカースイッチの操作ボタンのオフ/オン動作を検出し、
前記ロッカースイッチのオフ/オンの検出結果により電源のリレー制御を行う画像処理方法であって、
前記ロッカースイッチ内に設けられ前記電源のリレー制御に用いられる第一のコイルの状態に基づいて、前記第一のコイルを前記ロッカースイッチ内に設けられた第二のコイルに切り替えた後でシャットダウン処理を行うことを特徴とする画像処理方法。
【請求項１０】
ロッカースイッチの操作ボタンのオフ/オン動作を検出し、
前記ロッカースイッチのオフ/オンの検出結果により電源のリレー制御を行う画像処理方法であって、
前記電源及び前記電源をオフさせるリレー信号を監視し
前記リレー信号が発生して一定時間経過後の前記リレー信号のレベルを確認し、
一定時間経過後も前記コイルに励磁電流を流し続けている状態の場合に、リブート処理を行うことを特徴とする画像処理方法。
【発明の詳細な説明】
【技術分野】
【０００１】
本発明は、画像処理装置及び画像処理方法に関する。
【背景技術】
【０００２】
MFP(複合機)をはじめとする画像処理装置に搭載されているロッカースイッチは、ロッカースイッチの操作ボタンのオフ操作による信号変化が直接AC/DC(交流/直流)コンバータの電源制御に伝えており、画像処理装置本体に供給される各DC電源系を即座に停止させていた。
このように、通常の画像処理装置では、メモリ媒体への書き込み中にユーザーが誤ってロッカースイッチのオフ操作を行うと、メモリ媒体のデータ破損、場合によってはメモリ媒体のデバイス自体を破損させることがあった。
【０００３】
このような破損事故を回避するため、ロッカースイッチの操作ボタンのオフ操作で画像処理装置本体に供給される各電源系を即座に停止させないように種々の提案がなされていた。例えば、リレー回路やロッカースイッチの操作を検出する手段を設け、メモリ媒体への書き込み中の処理を終了させてから、リレー回路部を制御して画像処理装置本体に供給される各DC電源系をオフさせていた。
【０００４】
また、近年ではMFP(複合機)でもエコロジー機能の搭載が要求されつつある。エコロジー機能の一つとして装置の電源がオフされた時刻を記憶したり、知らせたりする機能も要求されている。
但し、このような場合でも、以下のような問題があった。
すなわち、メモリ媒体のデータ破損やデバイス破損を回避するため、ロッカースイッチの操作ボタンのオフ操作で画像処理装置本体に供給される各電源系を即座に停止させないようにリレー回路のコイルに電流を流す必要がある。
しかし、リレー回路のコイルに電流を流すことで、消費電力が増加してしまう。
【０００５】
ここで、メモリ媒体への書き込みが行われるモード、例えば、動作中やスタンバイ中にメモリ媒体に電源を供給するモードでは、リレー回路のコイルに電流を流し、ロッカースイッチのオフ操作で画像処理装置本体に供給される各電源系を即座の停止を回避する。また、メモリ媒体への書き込みを行わないモード、つまりメモリ媒体に電源が供給されない省エネモードではリレー回路内のコイルに電流を流さないようにして、最低限の消費電力でメモリ媒体のデータ破損やデバイス破損を回避していた。
【０００６】
しかし、このような場合では、前出の電源がオフされた時刻を記憶する機能は、動作中やスタンバイ中にロッカースイッチがオフ操作された場合には可能となるが、省エネモード中にロッカースイッチがオフ操作された場合には機能しない。
【０００７】
ここで、メモリ媒体のデータ破損やデバイス破損を回避する機能、及び電源がオフされた時刻を記憶したり、知らせたりする機能を実現するために、新しい電源スイッチが採用される場合がある。
このようなロッカースイッチでは、本体の電源が入っている状態ではコイルに電流を流さないで、本体の電源をオフさせたい時にコイルに電流を流すことによる励磁電流によってスイッチ接点がオフされる構造となっている。
この場合には、前出の省エネモード中にロッカースイッチのオフ操作された場合でも、オフされた時刻を記憶する機能が可能となる。
【０００８】
データやデバイスの破損保護と省エネルギー及び電源オフ時の時刻を記憶したり、知らせたりすることが可能な、新たなロッカースイッチが提案されている。この種のロッカースイッチでは、動作時やスタンバイ時や省エネモード時のすべてのモードでもロッカースイッチ内のコイルに電流を流さず、画像処理装置本体の電源をオフさせるときにのみコイルに電流を流し、励磁電流によってスイッチの接点がオフされる。
【０００９】
しかし、このような新たなロッカースイッチでもコイルに流す電流の制御に関して以下の問題があった。
コイルに有効通電時間の電流を流して、電源供給停止が開始されるまでにPSU(電源ユニット)の特性や負荷側の状態によっては、ディレーが生じる。
コイルを流す際の制御信号がパルス制御ではなくLow固定の制御であった場合には、コイルに有効通電時間以上流すことになり、ディレー期間分だけ不必要にコイルに電流を流してしまうことになる(図１参照。)。
【００１０】
図１は、画像処理装置における電源供給を停止した後の電源電圧の挙動を示す図である。同図において、横軸は時間軸であり、上段の縦軸は電源の電圧軸であり、中段の縦軸はLow固定の制御信号の電圧軸であり、下段の縦軸はパルス制御の制御信号の電圧軸である。
同図において、有効通電時間、すなわちオフ機能が可能となる最低通電時間をＸとすると、中段のLow固定の制御信号を用いた場合は、下段のパルス制御の制御信号を用いた場合に比べて、Ｙだけ不必要に電流を流していることが把握される。
【００１１】
図２(ａ)は、コイルの温度を横軸にとり、コイルの寿命を縦軸に取った場合の特性図であり、図２(ｂ)は、コイルに電流を流す期間を横軸にとり、コイルの寿命を縦軸に取った場合の特性図である。尚、横軸は対数軸である。
【００１２】
コイルの特性上、コイルに電流を流すこと、及び電流を流す時間幅によってコイルの温度が上昇し、その結果コイルの寿命が短くなる傾向にある(図２参照。)。
前出のようにコイルに電流を流す際の制御信号がパルス制御ではなくLow固定での制御の場合には、コイルに有効通電時間以上流すことになり、ディレー期間分不必要にコイルに電流が流れる。つまり、不必要に電力を消費させるとともに、この不必要な電流を流すことでコイルの温度を上昇させコイルの寿命が短くなることになり、結果、製品に搭載される電源スイッチの部品寿命が短くなることが懸念される。
【００１３】
このような問題に対し、特許文献１には、電源装置が複数の出力系統を有し、出力の一部をオフするスイッチ素子を有し、電源装置の出力部をオン/オフすることで出力部の出力端に接続された負荷が最小になるように制御し、突入電流を低減し、電源装置及びスイッチ素子の寿命を延ばし故障を低減させる手段が開示されている。
【００１４】
また、最近では、消費電力削減の為に、暗くなると自動的に装置の電源がオフされるようなエコナイトセンサー機能が搭載されつつある。前出と同様に、自動的に装置の電源がオフされる際にも、コイルに電流を流すことによる励磁電流によってスイッチ接点がオフされる構造となっている。
【発明の概要】
【発明が解決しようとする課題】
【００１５】
しかしながら、特許文献１に記載の技術では、コイルの寿命の問題は解決していない。
【００１６】
データ・デバイス破損保護、省エネ削減及び電源オフ時の時刻を記憶したり、知らせたりすることが可能な構成として、新たなロッカースイッチが提案されている。この新ロッカースイッチは、動作時やスタンバイ中や省エネモード中のすべてのモードでもロッカースイッチ内のコイルに流さず、本体の電源をオフさせるときにのみコイルに電流を流し、励磁電流によってSW接点がオフされるものである。
【００１７】
しかし、この新ロッカースイッチを採用しても、以下の問題もあった。
日没に伴い周囲が暗くなると自動的に装置の電源がオフされるエコナイトセンサー機能によって、自動的に装置の電源がオフさせるべく、コイルに電流を流すことによる励磁電流によってスイッチ接点がオフされる構造となっている。
ところが、新ロッカースイッチの不具合が発生して、電源がオフされない場合には、ユーザーから見れば操作部上にエラーメッセージも表示することなく、装置はあたかもスタンバイで正常な状態に見える。しかし、実際は、本体のシステムはシャットダウン処理が終了しているため、電源がオフされているものとして、パネル上のキー操作等の操作を受け付けない状態にいることが考えられる。
また、コイルに流す際の制御信号を送信する制御部が暴走して、パルス制御ではなくLow固定の信号を送出している状況でかつ、スイッチの不具合が発生して電源がオフされない場合には、コイルに電流を流し続けてしまい、不必要に電力を消費させる。これとともに、この不必要な電流を流すことでコイルの温度を上昇させコイルの寿命が短くなることになり、結果、製品に搭載される電源SWの部品交換寿命が短くなることが懸念される。
【００１８】
そこで、本発明の目的は、電源におけるコイルを用いた部品の寿命を延ばすことにある。
【課題を解決するための手段】
【００１９】
上記課題を解決するため、請求項１に記載の発明は、ロッカースイッチの操作ボタンのオフ/オン動作を検出する検出手段と、前記ロッカースイッチのオフ/オンの検出結果により電源のリレー制御を行うリレー制御手段と、前記ロッカースイッチの操作ボタンのオフ操作時の所定の処理後にシャットダウン処理を行うシャットダウン処理手段と、前記ロッカースイッチ内に設けられ、前記電源のリレー制御に用いられる第一のコイルと、前記第一のコイルの近傍に設けられた第二のコイルと、を備えた画像処理装置であって、前記第一のコイルの状態に基づいて前記第一のコイルと前記第二のコイルとを切り替える切り替え手段と、を備えたことを特徴とする。
【発明の効果】
【００２０】
本発明によれば、電源におけるコイルを用いた部品の寿命を延ばすことができる。
【図面の簡単な説明】
【００２１】
【図１】画像処理装置における電源供給を停止した後の電源電圧の挙動を示す図である。
【図２】(ａ)は、コイルの温度を横軸にとり、コイルの寿命を縦軸に取った場合の特性図であり、(ｂ)は、コイルに電流を流す期間を横軸にとり、コイルの寿命を縦軸に取った場合の特性図である。
【図３】一実施形態に係る画像処理装置の構成について説明するための説明図である。
【図４】図３に示した画像処理装置の動作を説明するためのフローチャートの一例である。
【図５】図３に示した画像処理装置の動作を説明するためのフローチャートの他の一例である。
【図６】図３に示した画像処理装置の動作を説明するためのフローチャートの他の一例である。
【図７】他の実施形態に係る画像処理装置のブロック図である。
【図８】図７に示した画像処理装置の動作を説明するためのフローチャートの一例である。
【図９】図８に示したリブート開始後の動作を示すフローチャートの一例である。
【発明を実施するための形態】
【００２２】
［実施形態１］
＜概  要＞
本発明の実施の形態を説明する。
本発明は、ロッカースイッチのオフ/オン動作を検出する手段、オフ/オン動作の検出結果により電源のリレー制御を行う手段、オフ操作時のシャットダウン処理を行う手段、及びオフ操作時の時刻情報を記憶する手段を備えた画像処理装置である。本画像装置は以下の特徴を有する。
【００２３】
(１)ロッカースイッチのコイル近傍の温度情報と、温度テーブルとを比較し、コイルに流す励磁電流を調節し、画像処理装置本体の電源をオフさせるのに必要なコイルに流す電流を必要最低限に抑え、消費電力の低減とコイルの寿命を延ばすこと。
【００２４】
(２)ロッカースイッチ内に電源のリレー制御に用いられる第一及び第二のコイルを設け、第一と第二のコイルのいずれに電流を流すかを選択する手段、及び一方のコイルに寿命がきた際に他方のコイルに切り替える手段を備える。これにより、ロッカースイッチ部品としての寿命を延ばすこと。
【００２５】
(３)コイルの寿命予測が外れて故障した場合、故障していないコイル側に切り替えて、部品交換を行うまでユーザー先での画像処理装置のダウンタイムを削減すること。
【００２６】
すなわち、本発明は、コイル近傍の温度検出部からの温度情報により励磁電流を流すための時間であるパルス幅の制御手段や冷却手段を備えることで、コイルの長寿命化を図っている。また、本発明は、部品の寿命予測機能を備えた画像処理装置を備える。更には、第二のコイルを設けることで第一の寿命がきても第二のコイルに切り替えることで交換部品の長寿命化を図っている。また、本発明は、コイルの寿命予測が外れてコイルの寿命がきて故障してしまった際でも、故障していないコイル側に切り替えて、部品交換を行うまでユーザー先での画像処理装置のダウンタイムの削減を図っている。
【００２７】
＜構  成＞
上記記載の本発明の特徴について、以下の図面を用いて詳細に解説する。
図３は、一実施形態に係る画像処理装置の構成について説明するための説明図である。以下、図３に示した部材と同様の部材には共通の符号を用いる。
画像処理装置は、SW部100、電源生成部110、エンジン制御部120、操作部130及びコントローラ制御部140を有する。尚、説明を簡単にするため、感光体ドラムやインクジェット記録装置を用いた印刷部等は省略されている。
【００２８】
コントローラ制御部140のメインシステム制御部147は、HDDや不揮発性デバイスの制御機能、ネットワークI/F146の制御機能、通信制御機能、エンジン制御部120との通信機能、及びサブシステム制御部143との通信機能を有する。尚、HDDはハードディスクドライブである。
【００２９】
サブシステム制御部143は、コントローラ電源141の制御機能、日時情報を計測するRTCとの通信機能、日時情報を格納するデータ格納部144、ロッカースイッチとしてのSW部100の操作ボタン108のオン/オフ動作の検出機能を有する。尚、RTCとは、Real Time Clockの略であり、計時専用の集積回路チップである。
尚、操作状態を格納する第一の格納手段、計測した結果を格納する第二の格納手段、及び算出した結果を格納する第三の格納手段としてのデータ格納部144は、内部にそれぞれに対応する格納領域が設定されている。
【００３０】
ロッカースイッチを構成するSW部100は、操作ボタン108の両端をシーソーのように交互に押すことで回路のオン/オフを行うスイッチである。操作ボタン108は、図ではオン側に押されており、オフ側を押すと破線で示すようになる。操作ボタン108の近傍には操作ボタン108がオン側かオフ側かを検出するセンサー109が設けられている。このセンサー109には例えばマイクロスイッチが用いられるが、限定されるものではなくフォトインタラプタやホール素子を用いてもよい。
【００３１】
第一のコイル102、第二のコイル103は、電源のリレー制御に用いられるため、一端が電源に接続され、他端が切り替え部101に接続され、駆動部142からの駆動電圧がいずれかに選択的に印加されるようになっている。104,105は単極双投型の可動切片・固定接点であり、スプリングで付勢されて通常はオフであり、例えば、サブシステム制御部143からの制御信号により第一のコイル102又は第二のコイル103が励磁されてオンするようにリレーを構成している。第一コイル102及び第二コイル103には、例えばコイル内を移動自在な永久磁石と、永久磁石に連結され可動切片104,105をオン/オフするアクチュエータとでソレノイドを構成している。
【００３２】
切り替え部101は、第一のコイル102と第二のコイル103との切り替えを行う回路であり、切り替え部101にて第一のコイル102に電流を流すか第二のコイル103に流すかが制御される。
尚、第一のコイル102及び第二のコイル103はSW部100内に並列に配置されていてもよく、同一のボビンに巻き回されていてもよく、直列に配置されていてもよい。
【００３３】
サブシステム制御部143は、SW部100の操作ボタン108のオフ操作検出時、画像処理装置本体電源の供給を停止させるために駆動部142を介して第一のコイル102または第二のコイル103への電流を流すための制御を行う機能を有する。サブシステム制御部143は、温度検出部107からの温度データにより冷却部106のファンを駆動させる機能、及び操作部130との通信機能を有する。
【００３４】
メインシステム制御部147は、ネットワークと接続し、機器の情報を取得する手段を有し、ネットワークからの操作によって第一のコイル102及び第二のコイル103の寿命の情報が格納されたデータを取得する取得手段を有する。「機器の情報」とは、第一のコイル102または第二のコイル103が寿命に達したか否かの情報である。機器の情報を取得する手段及びデータを取得する取得手段はソフトウェアで構成される。
【００３５】
操作部130ではタッチパネル、LCD、LED、スピーカー、及び入力キー等で構成されている。尚、LCDは液晶表示素子、LEDは発光ダイオードである。
電源生成部110ではAC電圧からDC電圧に変換されてエンジン制御部120やコントローラ制御部140やSW部100にDC電源を供給する。エンジン制御部120は、コントローラ制御部140内のメインシステム制御部147との通信機能、スキャナー、プロッター、排紙部、給紙部等のエンジン機構部の制御機能を有する。
【００３６】
温度検出部107は、例えばサーミスタやポジスタが用いられる。
冷却部106は、例えば、ファンが用いられるが、半導体によるペルチェ効果を利用してもよい。
【００３７】
図４は、図３に示した画像処理装置の動作を説明するためのフローチャートの一例である。
ロッカースイッチのオフ操作により、サブシステム制御部143は、ロッカースイッチとしてのSW部100の操作ボタン108のオフ操作を検知し(ステップS1)、電源をオフさせる前にシャットダウン処理を開始する(ステップS2)。
ここで、HDDや不揮発性メモリ媒体への書き込みステータスを確認し(ステップS3)、書き込み中ではないか否かを確認し(ステップS4)、書き込みのあるモジュールは、そのプロセスを終了させる(ステップS9)。全モジュールで書き込みのプロセスが終了したか否かを判断後(ステップS10)、SW部100内に設けられた温度検出部107からの温度データTを取得する(ステップS5)。温度データTの取得後、予め格納されている温度テーブルから電源をオフさせるため、SW部100内のコイルに流す電流制御のパルス幅が決定される(ステップS6)。
【００３８】
図示しない温度テーブルは、温度毎にコイルに流すパルス幅を調整する設定値が設けられている。
RTC145から現在の時刻情報を取得し、データ格納部144に時刻情報を格納し(ステップS7)、サブシステム制御部143から第一のコイル102又は第二のコイル103に流すためにパルス制御して、画像処理装置本体の電源がオフされる(ステップS8)。
【００３９】
データ格納部144には第一のコイル102又は第二のコイル103のいずれに電流を流すかのフラグ情報が設定されており、サブシステム制御部143からの切り替え信号にて切り替え部101を制御し、第一のコイル102又は第二のコイル103に電流を流す。
【００４０】
図５は、図３に示した画像処理装置の動作を説明するためのフローチャートの他の一例である。
SW部100の操作ボタン108のオフ操作により、サブシステム制御部143では、SW部100の操作ボタン108のオフ操作を検知する(ステップS11)。
データ格納部144より、電流を流すコイル側のオフ総回数を呼び出してセットする(ステップS12)。
SW部100の操作ボタン108のオフ操作の回数をカウントアップし(ステップS13)、データ格納部144にカウントデータを格納する。
SW部100の操作ボタン108のオフ操作の回数を検知するごとに１回カウントされる。
【００４１】
次に、予めデータ格納部144に設定されている、第一のコイル102又は第二のコイル103の寿命時期に相当するオフ回数(Ｎ)と今回のカウントアップされた総回数とを比較する(ステップS14)。総回数がＮ回以上であればコイルの寿命時期に達してSW部100の交換時期であることを操作部に表示させる(ステップS15)。
【００４２】
次に、電源をオフさせる前にシャットダウン処理を開始する(ステップS16)。
ここで、HDDや不揮発性メモリ媒体への書き込みステータス確認し(ステップS17)、書き込み中でないか否かを確認し(ステップS18)、書き込みのあるモジュールは、そのプロセスを終了させる(ステップS19)。
全モジュールで書き込みのプロセスが終了したか否かを確認後(ステップS20)、SW部100内に設けられた温度検出部107からの温度データTを取得する(ステップS21)。予め格納されている温度テーブルから、電源をオフさせるため、SW部100内の第一のコイル102又は第二のコイル103に流す電流制御のパルス幅が決定される(ステップS22)。
温度テーブルでは、温度毎に第一のコイル102又は第二のコイル103に流すパルス幅を調整する設定値が設けられている。
【００４３】
次に、データ格納部144に格納されている、前回操作ボタン108がオフ操作された時刻と現在の時刻とを比較し、T時間経過しているか否かを確認する(ステップS23)。T時間経過後、再度、RTC145から現在の時刻情報を取得して、データ格納部144に時刻情報を格納する(ステップS24)。サブシステム制御部143から第一のコイル102又は第二のコイル103に流すためにパルス制御し、画像処理装置本体の電源がオフされる(ステップS25)。
【００４４】
図６は、図３に示した画像処理装置の動作を説明するためのフローチャートの他の一例である。
SW部100の操作ボタン108のオフ操作により、サブシステム制御部143では、操作ボタン108のオフ操作を検出する(ステップS31)。
データ格納部144より、電流を流すコイル側のオフ総回数を呼び出してセットする(ステップS32)。
SW部100の操作ボタン108のオフ回数をカウントアップし(ステップS33)、データ格納部144にカウントデータを格納する。操作ボタン108のオフ操作を検知するごとに１回カウントされる。
【００４５】
次に、予めデータ格納部144に設定されているコイル寿命時期に相当するオフ回数(Ｎ)と今回のカウントアップされた総回数とを比較する(ステップS34)。
総回数がＮ回以上であればコイルの寿命時期に達してSW部100のコイルの交換時期であることを操作部130のLCDに表示させる(ステップS35)。
【００４６】
次に、電源をオフさせる前にシャットダウン処理を開始する(ステップS36)。
ここで、HDDや不揮発性メモリ媒体への書き込みステータスを確認し(ステップS37)、書き込み中ではないか否かを確認し(ステップS38)、書き込みのあるモジュールは、そのプロセスを終了させる(ステップS39)。
全モジュールで書き込みのプロセスが終了したか否かを確認した後(ステップS40)、SW部100内に設けられた温度検出部107からの温度データTを取得する(ステップS41)。
【００４７】
次に、予めデータ格納部144に設定されているファン駆動開始温度とコイル近傍の温度データTとを比較し(ステップS42)、ファン駆動開始温度以上の場合には、サブシステム制御部143によりファンを駆動する(ステップS43)。
【００４８】
予め格納されている、図示しない温度テーブルから、電源をオフさせるために、SW部100内の第一のコイル102又は第二のコイル103に流す電流制御のパルス幅が決定される(ステップS44)。
温度テーブルでは、温度毎に第一のコイル102又は第二のコイル103に流すパルス幅を調整する設定値が設けられている。
【００４９】
次に、データ格納部144に格納されている、前回操作ボタン108がオフ操作された時刻と現在の時刻とを比較し、T時間経過しているか否かを確認し(ステップS45)、T時間経過後、再度、RTC145から現在の時刻情報を取得する。データ格納部144に時刻情報を格納し(ステップS46)、サブシステム制御部143からコイルに流すためにパルス制御し、画像処理装置本体の電源がオフされる(ステップS47)。
【００５０】
一般に、コイルに電流を流すとコイル及びコイル自体の温度が上昇するため、図２(ａ)、(ｂ)のグラフのように、コイルの温度上昇及びコイルに電流を流す期間とともに寿命が短くなる関係にある。つまり、ロッカースイッチのオフ操作の度に、コイルに一定期間の電流を流すため、コイルの温度上昇が発生し、コイルの寿命が短くなる。
コイルの寿命に達するまでに必要な電流時間の閾値を設け、その閾値から１回のオフ操作でコイルに流すパルス幅の期間を割ることで、コイルの寿命に達するまでの総オフ回数(A)が算出される。
【００５１】
画像処理装置本体のSW部100へのコイルの着荷時から現在までの日数と電源のオフ操作の総オフ回数(B)とを計測し、１日当りオフされる平均回数(C)を算出し、コイルの寿命日数((A-B)/C 日)を算出する。
本計測、算出はサブシステム制御部143によって行われ、操作ボタン108の総オフ回数(A)と１日当りのオフされる平均回数(C)とコイルの寿命日数とはデータ格納部144に格納される。
第一のコイル102、第二のコイル103の寿命日数のデータは、第一コイル102、第二コイル103別にデータ格納部144に格納される。
画像処理装置本体の操作部130上では、第一コイル102及び第二コイル103のそれぞれの総オフ回数(Ｘ)と、１日当りのオフされた平均回数(Z)と、各コイル102,103の寿命日数とを参照することができる。また、本画像処理装置のネットワークI/F146を介して、外部のネットワークに接続されている機器からの操作によっても参照することができる。
【００５２】
操作部130は、第一のコイル102に電流を流すか、第二のコイル103に電流を流すのかを選択できる手段を備え、「無効」、「第一のコイル」、もしくは「第二のコイル」の選択ができる設定とする。初期値は「無効」の選択になっており、「無効」設定の場合は前出の寿命予測の判断によりデータ格納部144のフラグ情報から「第一のコイル102」か「第二のコイル103」に自動的に判定される。
操作部130上で第一のコイル102又は第二のコイル103の選択が行われると、データ格納部144のフラグ情報を無視して、強制的に選択されたコイル、例えば第二のコイル103側に設定され、選択された第一のコイル103側に電流を流す制御となる。これは、寿命予測が外れて故障に至った際に故障していないコイルとしての第二のコイル103側に強制的に切り替えることで、部品交換するまでの画像処理装置のダウンタイムを削減することができる。
【００５３】
以上において、本実施形態によれば、外部のネットワークに接続されている機器からの操作によって、強制的に第一コイル又は第二コイルに設定する。これにより、寿命予測が外れて一方のコイルが故障したとき、ユーザーの介在なしで正常な他方のコイルに強制的に切り替えることで、部品交換するまでの画像処理装置のダウンタイムを削減することができる。
【００５４】
＜作用効果＞
コイルに有効通電時間の電流を流し、実際に電源供停止が開始されるまでにPSU(電源ユニット)の特性や負荷側の状態によっては、ディレーが生じる。コイルを流す際の制御信号がパルス制御ではなくLow固定の制御の場合は、コイルに有効通電時間(Ｘ)以上流すことになり、ディレー期間分不必要にコイルに電流を流してしまうことになる(図１のCase1のＹ期間)。
【００５５】
コイルに流すこと、及びその流す時間幅によってコイルの温度が上昇し、コイルの寿命が短くなるため(図２)、前出のようにコイルを流す際の制御信号がパルス制御ではなくLow固定での制御では、コイルに有効通電時間以上不必要に流すことになる。この不必要な電流を流すことでコイルの温度を上昇させコイルの寿命が短くなることになり、結果、製品に搭載される電源SWの部品交換寿命が短くなることが懸念される。
【００５６】
また、有効通電時間(Ｘ)は、コイルの温度やコイル近傍の周囲温度によって変動する。
【００５７】
本画像処理装置は、コイルに流す電流及び温度を検出する手段、有効通電時間Ｘのパルス幅を調整する温度テーブル、パルス幅の時間制御手段により必要最低限の電流をコイルに流すことにより、消費電力の低減とコイルの寿命を延ばす効果がある。
【００５８】
更に、第二のコイルを設け、第一と第二のコイルのいずれに電流を流すかを選択する手段を備え、コイルの寿命を算出する手段により、一方のコイルが寿命となると他方のコイルに切り替える手段を備え、ロッカースイッチ部品としての寿命を延ばす効果がある。
【００５９】
更に、コイルの寿命予測が外れて一方のコイルが寿命となっても故障していない他方のコイルに切り替えて、部品交換を行うまでユーザー先での画像処理装置のダウンタイムを削減させる効果がある。
【００６０】
＜プログラム＞
以上で説明した本発明に係る画像処理装置は、コンピュータで処理を実行させるプログラムによって実現される。コンピュータとしては、例えばパーソナルコンピュータやワークステーションなどの汎用的なものが挙げられるが、本発明はこれに限定されるものではない。よって、一例として、プログラムにより本発明の機能を実現する場合の説明を以下で行う。
【００６１】
例えば、
画像処理装置の実質的なコンピュータに、
検出手段が、ロッカースイッチの操作ボタンのオフ/オン動作を検出する手順、
リレー制御手段が、ロッカースイッチの操作ボタンのオフ/オンの検出結果により電源のリレー制御を行う手順、
シャットダウン処理手段が、ロッカースイッチの操作ボタンのオフ操作時の所定の処理後にシャットダウン処理を行う手順、
を実行させるプログラムであって、
前記画像処理装置は、前記ロッカースイッチ内に設けられ電源のリレー制御に用いられる第一のコイルと、前記第一のコイルの近傍に設けられた第二のコイルと、を備え、
前記コンピュータに、
切り替え手段が、前記第一のコイルの状態に基づいて前記第一のコイルと前記第二のコイルとを切り替える手順を実行させるプログラムが挙げられる。
【００６２】
これにより、プログラムが実行可能なコンピュータ環境さえあれば、どこにおいても本発明に係る画像処理装置を実現することができる。
このようなプログラムは、コンピュータに読み取り可能な記憶媒体に記憶されていてもよい。
【００６３】
＜記憶媒体＞
ここで、記憶媒体としては、例えばCD−ROM、フレキシブルディスク(FD)、CD−ROM等のコンピュータで読み取り可能な記憶媒体、フラッシュメモリ、RAM、ROM、FeRAM等の半導体メモリやHDDが挙げられる。
【００６４】
CD−ROMは、Compact Disc Read only Memoryの略である。フレキシブルディスクは、Flexible Disk：FDを意味する。CD−Rは、CD Recordableの略である。RAMは、Random-Access Memoryの略である。ROMは、Read-only Memoryの略である。FeRAMは、Ferroelectric RAMの略で、強誘電体メモリを意味する。HDDは、Hard Disc Driveの略である。
【００６５】
尚、上述した実施の形態は、本発明の好適な実施の形態の一例を示すものであり、本発明はそれに限定されることなく、その要旨を逸脱しない範囲内において、種々変形実施が可能である。例えば、第一のコイルと第二のコイルとに優先順位を決めておき、最初のコイルが断線等した場合に残りのコイルに切り替えるように構成してもよい。また、上述した実施の形態では、ロッカースイッチの場合で説明したが、本発明は、これに限定されるものではなく、トグルスイッチ、スライドスイッチ、プッシュスイッチ、もしくはロータリースイッチにも適用可能である。
【００６６】
ところで、上述した実施の形態ではコイル近傍の温度を検出して温度情報により励磁電流を流すための時間制御手段や冷却手段によってコイルの寿命を延ばしている。
これに対し、ロッカースイッチの故障やシステムの暴走でコイルに励磁電流を流し続けている状態の場合において、リブート処理で復旧させることでコイルに不必要な電流を流し続けることを防止することでコイルの寿命を延ばすことが考えられる。
【００６７】
つまり、駆動部を介してリレー信号を監視するリレー信号監視部にて、SW部の異常やシステム暴走の発生を判断し、リレー信号監視部からコントローラ電源生成部に送出するリブート処理信号により、本装置をリブートする。これにより、SW部の異常発生やシステム暴走の発生で本体装置電源が切れていない状態で、コイルに不必要な電流を流し続けることを防止することが考えられる。
【００６８】
以下、図面を参照して実施形態２について述べる。
［実施形態２］
＜概  要＞
本発明は、検出手段、リレー制御手段、シャットダウン手段、記憶手段、コイル、照度検知部、電源オフ制御手段、リレー信号監視部、及び確認手段を備え、一定時間経過後もコイルに励磁電流を流し続けている状態の場合に、リブート処理を行うものである。このリブート処理により、不必要な電流を流すことでコイルの温度を上昇させコイルの寿命が短くなることを防ぐことができる。
【００６９】
ここで、システムのみの不良、すなわち暴走でコイルにLow電圧を送出し続けている場合や断続的にLowパルスを送出している場合であって、本装置の電源が切れる場合は、システムのみの不良の検出は行わない。しかし、前出の状態で電源が切れない場合には、コイルに電流を流しているにも関わらず電源が切れていない状態でありSW部にも何らかの状態で不良が発生していると判断する。
【００７０】
［構  成］
画像処理装置は、検出手段、リレー制御手段、シャットダウン手段、記憶手段、コイル、照度検知部、電源オフ制御手段、リレー信号監視部、及び確認手段を有するものである。
図７は、他の実施形態に係る画像処理装置のブロック図である。
図７に示す画像処理装置は、SW部1000、電源生成部110、エンジン制御部120、操作部130、照度検知部102、及びコントローラ制御部1400を有する。検出手段は、SW部1000に内蔵された、センサー109に対応する。リレー制御手段は、駆動部142及びサブシステム制御部1430に対応する。シャットダウン手段は、後述するメインシステム制御部147のソフトウェアに対応する。記憶手段は、HDD、不揮発性デバイスに対応する。
電源オフ制御手段は、照度検知部1402からの検出信号により、もしくは操作ボタン108のオフ操作時に、SW部1000内のコイル102に励磁電流を流すことで電源をオフさせる。電源オフ制御手段は、コイル102、切片104,105、駆動部142、サブシステム制御部143、及びメインシステム制御部147に対応する。確認手段は、リレー信号監視部1401及びサブシステム制御部1430のソフトウェアに対応する。リブート手段は、サブシステム制御部1430及びメインシステム制御部147のソフトウェアに対応する。
【００７１】
ロッカースイッチを構成する操作ボタン108及びSW部1000は、操作ボタン108の両端をシーソーのように交互に押すことで回路のオン/オフを行うスイッチである。操作ボタン108は、図ではオン側に押されており、オフ側を押すと破線で示すようになる。操作ボタン108の近傍には操作ボタン108がオン側かオフ側かを検出する検出手段としてのセンサー109が設けられている。このセンサー109には例えばマイクロスイッチが用いられるが、本発明はこれに限定されるものではなく、フォトインタラプタやホール素子を用いてもよい。
【００７２】
コイル102は、電源のリレー制御に用いられるため、一端が5V電源に接続され、他端が駆動部142に接続され、駆動部142からの駆動電圧が印加されるようになっている。一端がAC電源に接続された104及び一端が接地された105は単極双投型の可動切片・固定接点であり、スプリングで付勢されて通常はオフになっている。これらの可動切片・固定接点104,105及びコイル102は、例えば、サブシステム制御部143からの制御信号によりコイル102が励磁されてオンするようにリレーを構成している。コイル102と、コイル102内を移動自在な図示しない永久磁石と、永久磁石に連結され可動切片104,105をオン/オフするアクチュエータとでソレノイドを構成している。
【００７３】
コントローラ制御部1400は、コントローラ電源生成部141、駆動部142、サブシステム制御部1430、データ格納部144、RTC145、ネットワークI/F146、メインシステム制御部147、HDD、不揮発性デバイス148、及びリレー信号監視部1401を有する。
リレー信号監視部1401は、装置の電源及び電源をオフさせる制御信号を監視する機能を有する回路である。
コントローラ制御部1400のメインシステム制御部147は、HDDや不揮発性デバイスの制御機能、ネットワークI/F146の制御機能、通信制御機能、エンジン制御部120との通信機能、及びサブシステム制御部1430との通信機能を有する。
【００７４】
サブシステム制御部1430は、コントローラ電源141の制御機能、日時情報を計測するRTCとの通信機能、日時情報を格納するデータ格納部144、ロッカースイッチとしてのSW部100の操作ボタン108のオン/オフ動作の検出機能を有する。また、サブシステム制御部1430は、ロッカースイッチオフ操作時、電源の供給を停止させるためSW部1000内の駆動回路を介してコイル102の電流を流すための制御を行う機能を有する。また、サブシステム制御部1430は、照度検知部1402からの信号を入力して暗くなると電源の供給を停止させ、SW部1000内の駆動回路を介してコイル102の電流を流すための制御を行う機能と、操作部130との通信を行う機能を有する。
操作部130はタッチパネル、LCD、LED、スピーカー、入力キー等で構成されている。
【００７５】
照度検知部1402は、照度センサーを有しており、明るさのレベルを照度検知部からサブシステム制御部に送出する機能を有する。照度センサーとしては、例えばフォトダイオード、フォトトランジスタ、もしくはフォトレジスタが挙げられる。照度検知部1402は操作部130内に構成されていても構わない。
電源生成部110はAC電圧からDC電圧に変換されてエンジン制御部120やコントローラ制御部1400やリレー信号監視部1401やSW部1000にDC電源を供給する。
エンジン制御部120は、コントローラ制御部1400内のメインシステム制御部147との通信を行う機能と、スキャナー、プロッター、排紙部、及び給紙部等の画像処理装置のエンジン機構部を制御する機能と、を有する。
【００７６】
ここでスイッチの故障とは、コイル102に電流を流すことで励磁電流によってスイッチ接点がオフになる構造である、何らかの機構上の問題が発生してコイル102に電流は流れているがオフにならない状態を意味している。例えば、操作ボタン108を倒しても操作ボタン108そのものが割れたり、折れたり、陥没したり、図示しない復帰バネがはずれたりしてオフであることがリレー側に伝達されない場合を含む。
【００７７】
［動  作］
次に動作について図８のフローチャートを参照して説明する。
図８は、図７に示した画像処理装置の動作を説明するためのフローチャートの一例である。
画像処理装置は、照度検知部1402から電源をオフさせる信号を送出すると、サブシステム制御部1430では、照度検知部1402からの電源をオフさせる信号を検知し、電源をオフさせる前にシャットダウン処理を開始する。
ここで、HDDや不揮発性メモリデバイス148への書き込みがないか否かを判断し、書き込みのあるモジュールは、そのプロセスを終了させる。
すべてのモジュールで書き込みのプロセスが終了後、RTC145から現在の時刻情報を取得して、データ格納部144に時刻情報を格納し、サブシステム制御部1430からコイル102に流すためにパルス信号を送出。リレー信号監視部ではパルス信号送出からT時間経過後のリレー信号の信号レベルを確認する。リレー信号の信号レベルがHighであれば、SW部1000が故障していると判断する。リレー信号の信号レベルがLowであれば、SW部1000とシステム暴走が発生していると判断して、データ格納部144に異常状態フラグを格納する。格納後、リレー信号監視部1401からコントローラ電源生成部141にリブート処理信号を送出し、リブート処理が開始される。
【００７８】
つまり、画像処理装置は、照度検知部1402からの暗さ信号としての電源オフ信号を検知すると(ステップS51)、シャットダウン処理を開始し(ステップS52)、HDD、不揮発性メモリデバイス148への書き込みステータスを確認する(ステップS53)。
書き込み中ではないか否かを判断し(ステップS54)、書き込み中ではないと判断した場合(ステップS54/NO)、書き込み中である各モジュールのプロセスに対して書き込み処理終了の要求を行いステップS56へ進む。書き込み中でないと判断した場合(ステップS54/YES)、ステップS57へ進む。
ステップS56では書き込み中ではないか否かを判断し、書き込み中であると判断した場合(ステップS56/NO)、ステップS56に戻り、書き込み中でないと判断した場合(ステップS56/YES)、ステップ57へ進む。
【００７９】
現在の時刻情報を取得して時刻情報を格納し(ステップS57)、リレー信号にパルス信号を送出し(ステップS58)、T時間経過後、リレー信号監視部1401にてリレー信号レベルを検知する(ステップS59)。
リレー信号レベルがHighであるか否かを判断し(ステップS60)、リレー信号レベルがHighであると判断した場合(ステップS60/YES)、SW部1000に故障が発生したと判断し(ステップS61)、データ格納部144に異常状態フラグを格納する(ステップ62)。
リレー信号監視部1401からコントローラ電源生成部にリブート処理信号を送出すると、コントローラ制御部1400がリブートされて終了する(ステップS67)。
リレー信号レベルがHighでないと判断した場合(ステップS60/NO)、SW部1000の故障とシステム暴走とが発生していると判断し(ステップS64)、データ格納部144に異常状態フラグを格納し(ステップS65)、ステップS66へ進む。
ステップS66ではリレー信号監視部1401からコントローラ電源生成部141にリブート処理信号を送出し(ステップS66)、ステップS67を経て終了する。
【００８０】
ここで、SW部1000の故障とシステム暴走とが発生していると判断した場合は、コイル102に電流を流し続けている状態を意味する。
【００８１】
図９のフローチャートについて述べる。
図９は、図８に示したリブート開始後の動作を示すフローチャートの一例である。
画像処理装置は、異常状態を検出後、リブート処理を開始し(ステップS71)、現在の時刻情報をRTCから取得して時刻情報と共にリブート履歴情報を格納する(ステップS72)。リブート履歴情報格納後、データ格納部の異常状態フラグを参照し(ステップS73)、異常状態フラグがあるか否かを判断する(ステップS74)。異常フラグを検出した場合(ステップS74/YES)、エコナイトセンサー機能が作動しないようエコナイトセンサー機能設定をオフにし(ステップS75)、SW部の異常を操作部上に表示して起動処理が完了する(ステップS76)。
異常フラグを検出しない場合(ステップS74/NO)、終了する。
【００８２】
ここで、本来、コイル102にLowパルス電圧信号を送出してT時間経過後には、本装置の電源が切れている想定である。しかし、T時間経過後にも本装置の電源が入っていて、本システムのプログラムが作動している状態で以上を検知して、リブート処理を行う。コントローラ制御部1400の電源に関して言えば、リレー信号監視部1401を介してこのコントローラ制御部1400の電源をオフ/オンを行うことができるため、コールドリブートを行える。
【００８３】
尚、上述した実施の形態は、本発明の好適な実施の形態の一例を示すものであり、本発明はそれに限定されることなく、その要旨を逸脱しない範囲内において、種々変形実施が可能である。例えば、第一のコイルと第二のコイルとに優先順位を決めておき、最初のコイルが断線等した場合に残りのコイルに切り替えるように構成してもよい。また、上述した実施の形態では、ロッカースイッチの場合で説明したが、本発明は、これに限定されるものではなく、トグルスイッチ、スライドスイッチ、プッシュスイッチ、もしくはロータリースイッチにも適用可能である。
【００８４】
また、本画像処理装置は、スイッチ故障やシステムの暴走状態と判断する手段を備え、リブート処理前に異常状態としてのスイッチ故障及びシステム暴走状態のフラグを格納する手段を備えてもよい。
【００８５】
また、本画像処理装置は、リブートが行われた際の起動時において、異常フラグを検出した際にエコナイトセンサー機能を自動的にオフにさせる手段を備えてもよい。
これは、リブート処理で再起動するとエコナイトセンサー機能がオン状態であると前回同様に暗くなるとエコナイトセンサー機能が作動してコイルに電流を流して本体電源をオフさせてしまう。この際に、スイッチが故障していると、スイッチ故障が改善されない限り、エコナイトセンサー機能が作動し、コイルに電流を流して本体電源をオフさせようとする。スイッチ故障のため本体電源オフできず、リブート処理→本体起動→エコナイトセンサー機能作動→・・・、と無限に繰り返し行われ、不要なリブート・起動動作が繰り返し行われてしまい、無駄な電力を消費してしまう。この不要なリブート・起動動作が繰り返し行われないように、リブート処理で起動してきた際、エコナイトセンサー機能を自動的にオフにさせる手段を備えてもよい。
【００８６】
また、本画像処理装置は、リブートが行われた際の起動時において、異常フラグを参照し、異常フラグを検出した際に、操作部上に、スイッチ故障の発生を表示させる手段を備えてもよい。これにより、操作部上に、スイッチ故障が発生している旨のメッセージやSCコードを表示させ、スイッチ故障の発生をユーザーに知らせることができる。
【００８７】
また、本画像処理装置は、外部のネットワーク網と接続し、機器の情報を取得する手段を備え、外部のネットワーク網から異常状態フラグを検出する手段を備えてもよい。これにより、ネットワーク網に接続されたサービスセンターで異常状態フラグを検知し、スイッチ故障やシステムの暴走状況を監視することで、ユーザーマシンの異常状態をいち早く把握できる。
【００８８】
また、本発明は、複合機、プリンタ、ファクシミリ装置、プロジェクタ等の画像処理装置に適用可能である。
【符号の説明】
【００８９】
１００、１０００    ＳＷ部
１０１    切り替え部
１０２    第一のコイル、コイル
１０３    第二のコイル
１０４、１０５    可動切片・固定接点
１０６    冷却部
１０７    温度検出部
１０８    操作ボタン
１０９    センサー
１１０    電源生成部
１２０    エンジン制御部
１３０    操作部
１４０、１４００    コントローラ制御部
１４１    コントローラ電源生成部
１４２    駆動部
１４３、１４３０    サブシステム制御部
１４４    データ格納部
１４５    ＲＴＣ
１４６    ネットワーク
１４７    メインシステム制御部
１４８    ＨＤＤ
１４０１    リレー信号監視部
１４０２    照度検知部
【先行技術文献】
【特許文献】
【００９０】
【特許文献１】特開平１１−３３８３２１号公報
【図１】
2014186293.tif 000003
【図２】
2014186293.tif 000004
【図３】
2014186293.tif 000005
【図４】
2014186293.tif 000006
【図５】
2014186293.tif 000007
【図６】
2014186293.tif 000008
【図７】
2014186293.tif 000009
【図８】
2014186293.tif 000010
【図９】
2014186293.tif 000011